(57)【要約】クラウドソーシング基盤プロジェクトの作業単価測定方法が提供される。前記クラウドソーシング基盤プロジェクトの作業単価測定方法は、オープン予定のプロジェクトの作業に適用された複数の機能ツール（ｔｏｏｌ）を把握する段階と、各機能ツールに対して、該当機能ツールが用いられた以前プロジェクトの履歴情報を抽出する段階と、以前プロジェクトの履歴情報を基に、各機能ツール当たりの作業時間を計算する段階と、各機能ツール当たりの作業時間を合計して１つのオープン予定プロジェクトの作業当たりにかかる総作業時間を計算する段階と、前記総作業時間を基にオープン予定のプロジェクトの作業単価を測定する段階とを含む。
2021527857.tif 000002
【特許請求の範囲】
【請求項１】
クラウドソーシング基盤プロジェクトの作業単価測定方法において、
オープン予定のプロジェクトの作業に適用された複数の機能ツール（ｔｏｏｌ）を把握する段階と、
複数の前記機能ツールそれぞれに対して、該当機能ツールが用いられた以前プロジェクトの履歴情報を抽出する段階と、
前記以前プロジェクトの履歴情報を基に、複数の前記機能ツールぞれぞれの作業時間を計算する段階と、
複数の前記機能ツールぞれぞれの作業時間を合計して１つの前記オープン予定プロジェクトの作業当たりにかかる総作業時間を計算する段階と、
前記総作業時間を基に前記オープン予定のプロジェクトの作業単価を測定する段階と、
を備えるクラウドソーシング基盤プロジェクトの作業単価測定方法。
【請求項２】
前記以前プロジェクトの履歴情報は、
前記以前プロジェクトで該当機能ツールが用いられた総作業時間、総作業数、平均作業時間、差戻回数、差し戻された作業の作業時間及び差戻回数を考慮した作業時間のうちの少なくとも１つを含むことを特徴とする、
請求項１に記載のクラウドソーシング基盤プロジェクトの作業単価測定方法。
【請求項３】
前記総作業時間は、前記以前プロジェクトで特定機能ツールの使用開始時間（ｓｔａｒｔ ｔｉｍｅ）と使用終了時間（ｅｎｄ ｔｉｍｅ）が記録されて生成されることを特徴とする、
請求項２に記載のクラウドソーシング基盤プロジェクトの作業単価測定方法。
【請求項４】
前記平均作業時間は、前記総作業時間を前記総作業数で割った値であることを特徴とする、
請求項２に記載のクラウドソーシング基盤プロジェクトの作業単価測定方法。
【請求項５】
前記差し戻された作業の作業時間は、前記差戻回数と前記平均作業時間を掛けた値であることを特徴とする、
請求項４に記載のクラウドソーシング基盤プロジェクトの作業単価測定方法。
【請求項６】
前記差戻回数を考慮した作業時間は、前記総作業時間と前記差し戻された作業の作業時間を合計した値であることを特徴とする、
請求項５に記載のクラウドソーシング基盤プロジェクトの作業単価測定方法。
【請求項７】
複数の前記機能ツールそれぞれの作業時間は、前記差戻回数を考慮した作業時間を前記総作業数で割った値であることを特徴とする、
請求項６に記載のクラウドソーシング基盤プロジェクトの作業単価測定方法。
【請求項８】
前記特定機能ツールが用いられた前記以前プロジェクトがｎ個（ｎは自然数）である場合、
特定機能ツールの作業時間は、ｎ個の前記差戻回数を考慮した作業時間を足した値を、ｎ個の前記総作業数を足した値で割った値であることを特徴とする、
請求項７に記載のクラウドソーシング基盤プロジェクトの作業単価測定方法。
【請求項９】
前記オープン予定のプロジェクトの作業単価を測定する段階は、
前記オープン予定プロジェクトの１つの作業当たりにかかる総作業時間を基に時間当たりで作業可能な前記オープン予定プロジェクトの作業数を算出する段階と、
最低賃金時間額を算出された前記時間当たりで作業可能な前記オープン予定プロジェクトの作業数で割る段階とを、含むことを特徴とする、
請求項１に記載のクラウドソーシング基盤プロジェクトの作業単価測定方法。
【請求項１０】
コンピュータと結合し、請求項１〜９の何れか１項に記載のクラウドソーシング基盤プロジェクトの作業単価測定方法を実行するためにコンピュータで読み取り可能な記録媒体に格納されたコンピュータプログラム。
【発明の詳細な説明】
【技術分野】
【０００１】
本発明は、クラウドソーシング基盤プロジェクトの作業単価測定方法に関する。
【背景技術】
【０００２】
近年、一般大衆を企業活動の過程の一部に参加させるクラウドソーシングに基づいて、多量のデータを収集及び加工する企業が増えている。企業は一般大衆を企業活動の過程の一部に参加させ、これに対する代価として作業単価によってコストを支払う。
【０００３】
このとき、作業単価を測定する方式として、最終の提出作業物を基準として作業時間を測定して作業単価を測定する方式がある。具体的には、複数の作業者に同じ時間作業を行わせ、決められた時間内に幾つの作業を行うかを記録して、１つの作業当たりの作業時間を測定するか、又は１０個の作業完了時間を記録して１個当たりの作業時間を測定するかによって、作業単価が測定される。
【０００４】
しかし、このような方式はそれぞれの作業者の力量を考慮しない方式であって、作業者の力量によって作業時間に大きく差があるため、正確な単価を測定し難いという問題がある。
【０００５】
また、正確な単価測定のために多様、かつ多くの作業者に作業を行わせるほど、作業以外に付加的なコストが発生するため、企業の立場からは高コストを負担しなければならないという問題がある。
【０００６】
更に、作業物が差し戻されて修正された場合、修正作業に対する作業時間を再び測定しなければならないため、作業単価の測定に対する追加のコストが発生する恐れがあるというコストが発生する恐れがあるという問題がある。
【先行技術文献】
【特許文献】
【０００７】
【特許文献１】韓国公開特許公報第１０-２０１４-００９５９５６号（２０１４.０８.０４）
【発明の概要】
【発明が解決しようとする課題】
【０００８】
そこで、本発明は上記事情に鑑みてなされたものであって、その目的は、既存の最終の提出作業物を基準として作業時間を測定する方式ではない、プロジェクトの作業に必要な機能要素別に作業時間を測定し、機能要素別の作業時間を合計して作業単価を測定できる、クラウドソーシング基盤プロジェクトの作業単価測定方法を提供することにある。
【０００９】
本発明が解決しようとする課題は、以上で言及した課題に制限されず、言及されていない他の課題は、以下の記載から通常の技術者であれば明確に理解できるはずである。
【課題を解決するための手段】
【００１０】
前述した課題を解決するための本発明の一側面によるクラウドソーシング基盤プロジェクトの作業単価測定方法は、オープン予定のプロジェクトの作業に適用された複数の機能ツール（ｔｏｏｌ）を把握する段階と、それぞれの機能ツールに対して、該当機能ツールが用いられた以前プロジェクトの履歴情報を抽出する段階と、以前プロジェクトの履歴情報を基に、それぞれの機能ツール当たりの作業時間を計算する段階と、それぞれの機能ツール当たりの作業時間を合計して１つのオープン予定プロジェクトの作業当たりにかかる総作業時間を計算する段階と、前記総作業時間を基にオープン予定のプロジェクトの作業単価を測定する段階とを含む。
【００１１】
また、前記以前プロジェクトの履歴情報は、以前プロジェクトで該当機能ツールが用いられた総作業時間、総作業数、平均作業時間、差戻回数、差し戻された作業の作業時間及び差戻回数を考慮した作業時間のうちの少なくとも１つを含む。
【００１２】
更に、前記総作業時間は、以前プロジェクトで特定機能ツールの使用開始時間（ｓｔａｒｔ ｔｉｍｅ）と使用終了時間（ｅｎｄ ｔｉｍｅ）が記録されて生成される。
【００１３】
また、前記平均作業時間は、前記総作業時間を総作業数で割った値である。
【００１４】
更に、前記差し戻された作業の作業時間は、前記差戻回数と前記平均作業時間を掛けた値である。
【００１５】
また、前記差戻回数を考慮した作業時間は、前記総作業時間と前記差し戻された作業の作業時間を合計した値である。
【００１６】
更に、前記それぞれの機能ツール当たりの作業時間は、前記差戻回数を考慮した作業時間を総作業数で割った値である。
【００１７】
また、特定機能ツールが用いられた以前プロジェクトがｎ個（ｎは自然数）である場合、特定機能ツールの作業時間は、ｎ個の差戻回数を考慮した作業時間を足した値を、ｎ個の総作業数を足した値で割った値である。
【００１８】
更に、前記オープン予定のプロジェクトの作業単価を測定する段階は、オープン予定プロジェクトの１つの作業当たりにかかる総作業時間を基に時間当たり作業可能なオープン予定プロジェクトの作業数を算出する段階と、最低賃金時間額を算出された前記時間当たり作業可能なオープン予定プロジェクトの作業数で割る段階とを含む。
【００１９】
前述した課題を解決するための本発明の他の側面によるクラウドソーシング基盤プロジェクトの作業単価測定プログラムは、ハードウェアであるコンピュータと結合されて前記クラウドソーシング基盤プロジェクトの作業単価測定方法を実行し、媒体に格納される。
【００２０】
本発明のその他の具体的な事項は、詳細な説明及び図面に含まれている。
【発明の効果】
【００２１】
前記のような本発明によれば、オープン予定のプロジェクトに適用される作業機能ツール別に以前プロジェクトでの使用履歴データを活用することによって、以下のような効果が得られる。
【００２２】
第一に、単価測定のための作業者の準備とテストに必要な付加的なコストが不要になり、コストを削減できるという効果が得られる。
【００２３】
第二に、選定された作業者の力量に依存しないため、定量的な単価の測定が可能であるという効果が得られる。
【００２４】
第三に、作業物が差し戻されて修正された場合、修正作業に対する作業時間を再び測定するとき、それに伴う付加的なコストが発生しないという効果が得られる。
【００２５】
第四に、いつでも現在を基準に作業単価を測定し直すことができる。即ち、特定機能ツールの使用履歴が変更されても該当変更事項を直ぐに適用して単価を測定できるという効果が得られる。
【００２６】
本発明の効果は、以上で言及した効果に限らず、言及されていない他の効果は、以下の記載から通常の技術者であれば明確に理解できるはずである。
【図面の簡単な説明】
【００２７】
【図１】本発明の一実施例に係るクラウドソーシング基盤プロジェクトの作業単価測定方法のフローチャートである。
【図２】本発明の一実施例に係る複数の機能ツールを適用するプロジェクトの作業を説明する例示図である。
【図３】本発明の一実施例に係るオープン予定のプロジェクトに適用されるそれぞれの機能ツールが用いられた以前プロジェクトを抽出することを説明する例示図である。
【図４】本発明の一実施例に係るそれぞれの機能ツール当たりの作業時間を計算することを説明する例示図である。
【図５】本発明の一実施例に係るそれぞれの機能ツール当たりの作業時間を計算することを説明する例示図である。
【図６】本発明の一実施例に係るそれぞれの機能ツール当たりの作業時間を計算することを説明する例示図である。
【図７】本発明の一実施例に係るクラウドソーシング基盤プロジェクトの作業単価測定装置のブロック図である。
【発明を実施するための形態】
【００２８】
本発明の利点及び特徴、そしてそれらを実現する方法は、添付の図面と共に詳細に後述されている実施例を参照すれば明確になる。しかし、本発明は、以下で開示される実施例に制限されるものではなく、互いに異なる多様な形態で実現することができる。但し、本実施例は、本発明の開示を完全なものにし、本発明が属する技術分野における通常の技術者に対して、本発明の範疇を完全に理解させるために提供されるものであり、本発明は請求範囲の範疇により定義されるに過ぎない。
【００２９】
本明細書で用いられた用語は、実施例を説明するものであり、本発明を制限するものではない。本明細書において、単数型は特に言及しない限り複数型も含む。明細書で用いられる「含む（ｃｏｍｐｒｉｓｅｓ）」及び／又は「含んでいる（ｃｏｍｐｒｉｓｉｎｇ）」は、言及された構成要素以外に１つ以上の他の構成要素の存在又は追加を排除しない。明細書全体に亘って同一の図面符号は同一の構成要素を示し、「及び／又は」は言及された構成要素のそれぞれ及び１つ以上の全ての組み合わせを含む。たとえ、「第１」、「第２」などが多様な構成要素を叙述するために用いられていても、これらの構成要素はこれらの用語により制限されないのはもちろんである。これらの用語は、単に１つの構成要素を他の構成要素と区別するために用いられる。従って、以下で言及される第１構成要素は、本発明の技術的思想内で第２構成要素でもあり得るのは言うまでもない。
【００３０】
他の定義がなければ、本明細書で用いられる全ての用語（技術及び科学的用語を含む）は、本発明が属する技術分野における通常の技術者が共通して理解できる意味として用いられる。また、一般に用いられる辞典に定義されている用語は、明白に特に定義されていない限り、理想的に又は過度に解釈されない。
【００３１】
以下、添付の図面を参照して本発明の実施例を詳細に説明する。
【００３２】
図１は、本発明の一実施例に係るクラウドソーシング基盤プロジェクトの作業単価測定方法のフローチャートである。図２は、本発明の一実施例に係る複数の機能ツールを適用するプロジェクトの作業を説明する例示図である。図３は、本発明の一実施例に係るオープン予定のプロジェクトに適用されるそれぞれの機能ツールが用いられた以前プロジェクトを抽出することを説明する例示図である。図４〜図６は、本発明の一実施例に係るそれぞれの機能ツール当たりの作業時間を計算することを説明する例示図である。
【００３３】
本発明に係るオープン予定のプロジェクトは、企業により企画されたクラウドソーシング基盤のプロジェクト又はクラウドソーシングサービス業者が顧客から依頼を受けたプロジェクトを意味する。企業又はクラウドソーシングサービス業者は、プロジェクトをオープンする前に該当プロジェクトに対する作業単価を測定しなければならない。即ち、プロジェクトを企画した企業、又はクラウドソーシングサービスを提供するサービス業者は、図１に示されたそれぞれの段階（Ｓ１００ないしＳ５００）を行うことによって、オープン予定であるプロジェクトに対する作業単価を測定できる。このとき、図１に示されたそれぞれの段階（Ｓ１００ないしＳ５００）は、プロジェクトを企画した企業のサーバ、又はクラウドソーシングサービスを提供するサービス業者のサーバにより行われるものとして理解され得るが、これに制限されるものではない。
【００３４】
図１を参照すれば、段階Ｓ１００で、オープン予定のプロジェクトの作業に適用された複数の機能ツール（ｔｏｏｌ）を把握する。即ち、サーバは、オープン予定であるプロジェクトの作業を行うために用いられる機能ツールが何かを把握しなければならない。ここで、プロジェクトは、複数の作業者が各自で作業を行って提供した複数の作業の結果物を収集することによって完成されるクラウドソーシング基盤のプロジェクトを意味する。
【００３５】
一実施例として、プロジェクトの作業は、複数の機能作業を通じて完成し得る。即ち、プロジェクトに参加する作業者は、複数の段階を行うことによって１つの作業を完成できる。図２を参照すれば、該当プロジェクトの作業を行うために、作業者は、１段階、２段階、及び３段階を行う。
【００３６】
具体的に、作業者は、特定イメージ（プロジェクトの作業を行うためにプロジェクトを企画した企業、又はクラウドソーシングサービスを提供するサービス業者から提供されるイメージ）から特定客体を選択して、１段階、即ち、バウンディング（ｂｏｕｎｄｉｎｇ）作業を行うことができる。このとき、作業者は、バウンディング（ｂｏｕｎｄｉｎｇ）作業を行うためにバウンディングボックスツール（Ｂｏｕｎｄｉｎｇ Ｂｏｘ Ｔｏｏｌ）を用いることができる。
【００３７】
その後、作業者は、選択された特定客体の名称を入力して、２段階、即ち、転写作業を行うことができる。このとき、作業者は、転写作業を行うためにインプットボックスツール（Ｉｎｐｕｔ Ｂｏｘ Ｔｏｏｌ）を用いることができる。
【００３８】
その後、作業者は、名称が付与された特定客体の種類を分類するために、転写作業で入力された単語を包括する上位概念を選択して、３段階、即ち、属性分類作業を行うことができる。このとき、作業者は、属性分類作業を行うためにメイクステップツール（Ｍａｋｅ Ｓｔｅｐ Ｔｏｏｌ）を用いることができる。
【００３９】
図１を参照すれば、段階Ｓ２００で、それぞれの機能ツールに対して、該当機能ツールが用いられた以前プロジェクトの履歴情報を抽出する。例えば、オープン予定であるプロジェクトに、機能ツール１、機能ツール２、及び機能ツール３が用いられる場合、以前に行われたプロジェクトの中から、機能ツール１、機能ツール２、又は機能ツール３が用いられたプロジェクトを、抽出する。その後、各機能ツール別に用いられた以前プロジェクトの履歴情報を抽出する。
【００４０】
図３を参照すれば、オープン予定であるプロジェクトに機能ツール１、機能ツール２、及び機能ツール３が適用される場合、以前に行われたプロジェクトの中から機能ツール１、機能ツール２、又は機能ツール３が適用されたプロジェクトが、抽出される。具体的に、以前プロジェクトＡに、機能ツール１、機能ツール２及び機能ツール３が適用され、以前プロジェクトＢに機能ツール２、機能ツール３及び機能ツール４が適用され、以前プロジェクトＣに機能ツール１、機能ツール２及び機能ツール４が適用され、以前プロジェクトＤに機能ツール１、機能ツール３及び機能ツール４が適用されている。
【００４１】
これにより、オープン予定のプロジェクトに適用される機能ツール１に対して、以前プロジェクトＡ、以前プロジェクトＣ、以前プロジェクトＤの履歴情報が抽出される。オープン予定のプロジェクトに適用される機能ツール２に対して、以前プロジェクトＡ、以前プロジェクトＢ、以前プロジェクトＣの履歴情報が抽出される。オープン予定のプロジェクトに適用される機能ツール３に対して、以前プロジェクトＡ、以前プロジェクトＢ、以前プロジェクトＤの履歴情報が抽出される。
【００４２】
図１を参照すれば、段階Ｓ３００で、以前プロジェクトの履歴情報を基に、それぞれの機能ツール当たりの作業時間を計算する。ここで、以前プロジェクトの履歴情報は、以前プロジェクトで該当機能ツールが用いられた総作業時間、総作業数、平均作業時間、差戻回数、差し戻された作業の作業時間及び差戻回数を考慮した作業時間のうちの少なくとも１つを含むことができる。このような以前プロジェクトの履歴情報を用いて、各機能ツール別に作業時間が計算される。
【００４３】
具体的に、機能ツールの作業時間は、以前プロジェクトがオープン化されて終了するまで複数のユーザにより該当ツールが用いられた累積時間情報、以前プロジェクトがオープン化され、終了するまで完成した作業結果物の数、それに伴う平均作業時間、作業中に差し戻された作業物の数、差し戻された作業物に対する再作業時間、再作業時間を考慮した作業時間を基に、生成される。
【００４４】
このとき、総作業時間は、以前プロジェクトで特定機能ツールの使用開始時間（ｓｔａｒｔ ｔｉｍｅ）と使用終了時間（ｅｎｄ ｔｉｍｅ）の記録によって生成されるものであって、以前プロジェクトに参加した複数の作業者が該当ツールを用いた時間を合計した総時間を意味し得る。また、総作業数は、複数の作業者により提供された最終の作業結果物を意味し得る。また、差戻回数は、プロジェクトの進行中に作業者により提出された作業物がプロジェクト管理者（例えば、検収者）により差し戻された回数を意味し得る。このとき、作業者は、差し戻された作業を作業し直して再び提出するようになる。このとき、差し戻された作業物は総作業数に含まれず、１つの作業物が複数回差し戻された場合、総作業数には１つの作業として含まれるようになる。
【００４５】
一実施例として、平均作業時間（ｓｅｃ）は、総作業時間（ｓｅｃ）を総作業数で割った値を意味する。差し戻された作業の作業時間（ｓｅｃ）は、差戻回数と平均作業時間（ｓｅｃ）を掛けた値を意味する。差戻回数を考慮した作業時間（ｓｅｃ）は、総作業時間（ｓｅｃ）と差し戻された作業の作業時間（ｓｅｃ）を合計した値を意味する。
【００４６】
これにより、機能ツール当たりの作業時間（ｓｅｃ）は、差戻回数を考慮した作業時間（ｓｅｃ）を総作業数で割ることによって算出される。このとき、特定機能ツールが用いられた以前プロジェクトがｎ個（ｎは自然数）である場合、特定機能ツールの作業時間はｎ個の差戻回数を考慮した作業時間を足した値を、ｎ個の総作業数を足した値で割ることによって算出される。
【００４７】
一実施例として、オープン予定のプロジェクトは、用いられる機能ツールでバウンディング（Ｂｏｕｎｄｉｎｇ）作業のためのバウンディングボックスツール（Ｂｏｕｎｄｉｎｇ Ｂｏｘ Ｔｏｏｌ）、転写作業のためのインプットボックスツール（Ｉｎｐｕｔ Ｂｏｘ Ｔｏｏｌ）及び属性分類作業のためのメイクステップツール（Ｍａｋｅ Ｓｔｅｐ Ｔｏｏｌ）を含むことができる。
【００４８】
図４を参照すれば、バウンディングボックスツール（Ｂｏｕｎｄｉｎｇ Ｂｏｘ Ｔｏｏｌ）に対する以前プロジェクトＡ、以前プロジェクトＣ及び以前プロジェクトＤの履歴情報が抽出されている。
【００４９】
以前プロジェクトＡで、バウンディングボックスツールを用いた総作業時間は１５００ｓｅｃ.であり、総作業数は１００である場合、平均作業時間は１５ｓｅｃ.である。また、差戻回数が１０であるので、差し戻された作業の作業時間は、平均作業時間と差戻回数を掛けた値である１５０ｓｅｃ.になる。これにより、以前プロジェクトＡでバウンディングボックスツールを用いた総作業時間（即ち、差戻回数を考慮した作業時間）は、１６５０ｓｅｃ.になる。
【００５０】
また、以前プロジェクトＣで、バウンディングボックスツールを用いた総作業時間は８００ｓｅｃ.であり、総作業数は５０である場合、平均作業時間は１６ｓｅｃ.である。また、差戻回数が２５であるので、差し戻された作業の作業時間は、平均作業時間と差戻回数を掛けた値である４００ｓｅｃ.になる。これにより、以前プロジェクトＣでバウンディングボックスツールを用いた総作業時間（即ち、差戻回数を考慮した作業時間）は、１２００ｓｅｃ.になる。
【００５１】
更に、以前プロジェクトＤで、バウンディングボックスツールを用いた総作業時間は６００ｓｅｃ.であり、総作業数は１２である場合、平均作業時間は５０ｓｅｃ.である。また、差戻回数が３であるので、差し戻された作業の作業時間は、平均作業時間と差戻回数を掛けた値である１５０ｓｅｃ.になる。これにより、以前プロジェクトＤでバウンディングボックスツールを用いた総作業時間（即ち、差戻回数を考慮した作業時間）は、７５０ｓｅｃ.になる。
【００５２】
これにより、バウンディングボックスツールを用いて１つの作業を行う平均時間は、以前プロジェクトＡの差戻回数を考慮した作業時間、以前プロジェクトＣの差戻回数を考慮した作業時間、以前プロジェクトＤの差戻回数を考慮した作業時間を足した値を、以前プロジェクトＡの総作業数、以前プロジェクトＣの総作業数、以前プロジェクトＤの総作業数を足した値で割った値、即ち（１６５０＋１２００＋７５０）／（１００＋５０＋１２）=２２.２２ｓｅｃ.である。
【００５３】
図５を参照すれば、インプットボックスツール（Ｉｎｐｕｔ Ｂｏｘ Ｔｏｏｌ）に対する以前プロジェクトＡ、以前プロジェクトＢ及び以前プロジェクトＣの履歴情報が抽出されている。
【００５４】
以前プロジェクトＡで、インプットボックスツールを用いた総作業時間は３５０ｓｅｃ.であり、総作業数は１００である場合、平均作業時間は３.５ｓｅｃ.である。また、差戻回数が２０であるので、差し戻された作業の作業時間は、平均作業時間と差戻回数を掛けた値である７０ｓｅｃ.になる。これにより、以前プロジェクトＡでインプットボックスツールを用いた総作業時間（即ち、差戻回数を考慮した作業時間）は、４２０ｓｅｃ.になる。
【００５５】
また、以前プロジェクトＢで、インプットボックスツールを用いた総作業時間は１８０ｓｅｃ.であり、総作業数は３０である場合、平均作業時間は６ｓｅｃ.である。また、差戻回数が２０であるので、差し戻された作業の作業時間は、平均作業時間と差戻回数を掛けた値である１２０ｓｅｃ.になる。これにより、以前プロジェクトＢでインプットボックスツールを用いた総作業時間（即ち、差戻回数を考慮した作業時間）は、３００ｓｅｃ.になる。
【００５６】
更に、以前プロジェクトＣで、インプットボックスツールを用いた総作業時間は１００ｓｅｃ.であり、総作業数は２０である場合、平均作業時間は５ｓｅｃ.である。また、差戻回数が１０であるので、差し戻された作業の作業時間は、平均作業時間と差戻回数を掛けた値である５０ｓｅｃ.になる。これにより、以前プロジェクトＣでバウンディングボックスツールを用いた総作業時間（即ち、差戻回数を考慮した作業時間）は、１５０ｓｅｃ.になる。
【００５７】
これにより、インプットボックスツールを用いて１つの作業を行う平均時間は、以前プロジェクトＡの差戻回数を考慮した作業時間、以前プロジェクトＢの差戻回数を考慮した作業時間、以前プロジェクトＣの差戻回数を考慮した作業時間を足した値を、以前プロジェクトＡの総作業数、以前プロジェクトＢの総作業数、以前プロジェクトＣの総作業数を足した値で割った値、即ち（４２０＋３００＋１５０）／（１００＋３０＋２０）=５.８ｓｅｃ.である。
【００５８】
図６を参照すれば、メイクステップツール（Ｍａｋｅ Ｓｔｅｐ Ｔｏｏｌ）に対する以前プロジェクトＡ、以前プロジェクトＢ及び以前プロジェクトＤの履歴情報が抽出できる。
【００５９】
以前プロジェクトＡで、メイクステップツールを用いた総作業時間は５００ｓｅｃ.であり、総作業数は１００である場合、平均作業時間は５ｓｅｃ.である。また、差戻回数が２０であるので、差し戻された作業の作業時間は、平均作業時間と差戻回数を掛けた値である１００ｓｅｃ.になる。これにより、以前プロジェクトＡでメイクステップツールを用いた総作業時間（即ち、差戻回数を考慮した作業時間）は、６００ｓｅｃ.になる。
【００６０】
また、以前プロジェクトＢで、メイクステップツールを用いた総作業時間は４８０ｓｅｃ.であり、総作業数は６０である場合、平均作業時間は８ｓｅｃ.である。また、差戻回数が１５であるので、差し戻された作業の作業時間は、平均作業時間と差戻回数を掛けた値である１２０ｓｅｃ.になる。これにより、以前プロジェクトＢでメイクステップツールを用いた総作業時間（即ち、差戻回数を考慮した作業時間）は、６００ｓｅｃ.になる。
【００６１】
更に、以前プロジェクトＤで、メイクステップツールを用いた総作業時間は３２０ｓｅｃ.であり、総作業数は４０である場合、平均作業時間は８ｓｅｃ.である。また、差戻回数が１０であるので、差し戻された作業の作業時間は、平均作業時間と差戻回数を掛けた値である８０ｓｅｃ.になる。これにより、以前プロジェクトＤでメイクステップツールを用いた総作業時間（即ち、差戻回数を考慮した作業時間）は、４００ｓｅｃ.になる。
【００６２】
これにより、メイクステップツールを用いて１つの作業を行う平均時間は、以前プロジェクトＡの差戻回数を考慮した作業時間、以前プロジェクトＢの差戻回数を考慮した作業時間、以前プロジェクトＤの差戻回数を考慮した作業時間を足した値を、以前プロジェクトＡの総作業数、以前プロジェクトＢの総作業数、以前プロジェクトＤの総作業数を足した値で割った値、即ち（６００＋６００＋４００）／（１００＋６０＋４０）=８ｓｅｃ.である。
【００６３】
その後、段階Ｓ４００で、それぞれの機能ツール当たりの作業時間を合計して１つのオープン予定プロジェクトの作業当たりにかかる総作業時間を計算する。即ち、各機能ツールに対する以前プロジェクトの履歴情報を基に生成された各機能ツールの平均作業時間を足してオープン予定のプロジェクトの作業を行うのに予想される作業時間が測定される。
【００６４】
例えば、オープン予定のプロジェクトが機能ツール１、機能ツール２及び機能ツール３を適用し、機能ツール１の平均作業時間が２２.２２ｓｅｃ.であり、機能ツール２の平均作業時間が５.８ｓｅｃ.であり、機能ツール３の平均作業時間が８ｓｅｃ.である場合、オープン予定のプロジェクトの１つの作業当たりにかかる予想作業時間は２２.２２＋５.８＋８=３６ｓｅｃ.になる。即ち、オープン予定のプロジェクトの１つの作業を行うのに平均的に３６ｓｅｃ.がかかり得る。
【００６５】
その後、段階Ｓ５００で、前記総作業時間を基にオープン予定のプロジェクトの作業単価を測定する。即ち、オープン予定プロジェクトの１つの作業当たりにかかる総作業時間を基に時間当たりで作業可能なオープン予定プロジェクトの作業数が算出され、最低賃金時間額を算出された時間当たりで作業可能なオープン予定プロジェクトの作業数で割ることによって、オープン予定のプロジェクトの作業単価が測定される。
【００６６】
例えば、オープン予定のプロジェクトの１つの作業を行うのに３６ｓｅｃ.がかかる場合、１時間に１００個の作業を行えるようになる。従って、最低賃金時間額（例えば、８３５０ウォン）を１００で割ると、適正な作業単価が８３ウォン又は８４ウォンと測定される。
【００６７】
図７は、本発明の一実施例に係るクラウドソーシング基盤プロジェクトの作業単価測定装置のブロック図である。
【００６８】
図７を参照すれば、クラウドソーシング基盤プロジェクトの作業単価測定装置１００（以下、「作業単価測定装置」という）は、通信部１１０、判断部１２０、抽出部１３０、算出部１４０、制御部１５０、及び格納部１６０を含む。
【００６９】
通信部１１０は、顧客の端末、作業者の端末及び管理者の端末のうちの少なくとも１つと通信を行い、データを送受信する役割を果たす。
【００７０】
判断部１２０は、オープン予定のプロジェクトの作業に適用された複数の機能ツールを把握する役割を果たす。
【００７１】
抽出部１３０は、判断部１２０により把握された複数の機能ツールに対して、それぞれの機能ツールが用いられた以前プロジェクトの履歴情報を照合して抽出する役割を果たす。
【００７２】
算出部１４０は、抽出部１３０により抽出された各機能ツールに対する以前プロジェクトの履歴情報を基に、それぞれの機能ツールの平均作業時間を計算する役割を果たす。また、算出部１４０は、それぞれの機能ツールの平均作業時間を足してオープン予定プロジェクトの１つの作業当たりにかかる総作業時間を計算する。これにより、オープン予定のプロジェクトの作業単価を測定する役割が果たされる。
【００７３】
制御部１５０は、単価測定装置１００の構成要素をそれぞれ制御する。
【００７４】
格納部１６０は、作業単価測定装置１００に受信されたデータ及び作業単価測定装置１００で生成されたデータなどを格納及び管理する。
【００７５】
以上で前述した本発明の一実施例に係るクラウドソーシング基盤プロジェクトの作業単価測定方法は、ハードウェアであるコンピュータと結合されて実行されるために、プログラム（又はアプリケーション）によって実現され、プログラム（又はアプリケーション）は媒体に格納できる。
【００７６】
前記上述したプログラムは、前記コンピュータがプログラムを読み込んでプログラムで実現する前記方法を実行するために、前記コンピュータのプロセッサ（ＣＰＵ）が前記コンピュータの装置インターフェースを介して読み取られるＣ、Ｃ＋＋、ＪＡＶＡ（登録商標）、Ｒｕｂｙ、機械語などのコンピュータ言語でコード化したコード（Ｃｏｄｅ）を含むことができる。このようなコードは、前記方法を実行するのに必要な機能を定義した関数などと関連する機能的なコード（Ｆｕｎｃｔｉｏｎａｌ Ｃｏｄｅ）を含むことができ、前記各機能を前記コンピュータのプロセッサが所定の手順通りに実行させるのに必要な実行手順関連の制御コードを含むことができる。また、このようなコードは、前記各機能を前記コンピュータのプロセッサが実行させるのに必要な追加の情報やメディアが前記コンピュータの内部又は外部メモリのどの位置（アドレス）で参照されるべきかに対するメモリ参照関連のコードを更に含むことができる。また、前記コンピュータのプロセッサが前記各機能を実行するために、遠隔（Ｒｅｍｏｔｅ）にある任意の他のコンピュータやサーバなどと通信が必要な場合、コードは、前記コンピュータの通信モジュールを用いて遠隔にある任意の他のコンピュータやサーバなどとどのように通信すべきか、通信時に如何なる情報やメディアを送受信すべきかなどに対する通信関連のコードを更に含むことができる。
【００７７】
前記格納される媒体は、レジスタ、キャッシュ、メモリなどのように短時間でデータを格納する媒体ではなく、半永久的にデータを格納し、機器により読み取り（ｒｅａｄｉｎｇ）可能な媒体を意味する。具体的には、前記格納される媒体の例としては、ＲＯＭ、ＲＡＭ、ＣＤ-ＲＯＭ、磁気テープ、フロッピーディスク、光データ格納装置などが挙げられるが、これに制限されない。即ち、前記プログラムは、前記コンピュータが接続できる多様なサーバ上の多様な記録媒体又はユーザの前記コンピュータ上の多様な記録媒体に格納されることができる。また、前記媒体は、ネットワークで接続されているコンピュータシステムに分散されて分散方式でコンピュータが読み取れるコードが格納できる。
【００７８】
以上、添付の図面を参照して本発明の実施例を説明したが、本発明が属する技術分野における通常の技術者は、本発明がその技術的思想や必須な特徴を変更することなく、他の具体的な形態で実施され得るということが理解できるだろう。従って、以上で記述した実施例は、あらゆる面で例示的なものであり、制限的ではないものとして理解すべきである。
【符号の説明】
【００７９】
１００    作業単価測定装置
１１０    通信部
１２０    判断部
１３０    抽出部
１４０    算出部
１５０    制御部
１６０    格納部
【図１】
2021527857.tif 000003
【図２】
2021527857.tif 000004
【図３】
2021527857.tif 000005
【図４】
2021527857.tif 000006
【図５】
2021527857.tif 000007
【図６】
2021527857.tif 000008
【図７】
2021527857.tif 000009
【国際調査報告】
2021527857.tif 000010
2021527857.tif 000011
2021527857.tif 000012
2021527857.tif 000013